(57)【特許請求の範囲】
【請求項１】
外部の無接点給電装置による電力供給を受ける無接点受電部を備える電子機器であって、
前記無接点受電部は、第１面に配設された第１無接点受電部、及び前記第１面とは異なる第２面に配設された第２無接点受電部を有し、
前記第１無接点受電部による受電の状況と前記第２無接点受電部による受電の状況とに基づいて前記電子機器の設置姿勢を判定する判定部と、
搬送経路に沿って記録媒体を所定の送り量で送る搬送部と、
前記搬送部により送られる前記記録媒体に記録を行う記録部と、
前記判定部による前記設置姿勢の判定結果に応じて前記送り量を補正する送り量補正部と、を備えることを特徴とする電子機器。
【請求項２】
前記判定部は、前記第１無接点受電部と前記第２無接点受電部とのうち受電に成功している方の無接点受電部が配設されている面が前記無接点給電装置側に向いた設置姿勢であると判定することを特徴とする請求項１に記載の電子機器。
【請求項３】
前記判定部は、前記第１無接点受電部と前記第２無接点受電部とのうち相対的に高い電圧が発生している方の無接点受電部が配設されている面が前記無接点給電装置側に向いた設置姿勢であると判定することを特徴とする請求項１または請求項２に記載の電子機器。
【請求項４】
前記判定部は、前記第１無接点受電部に発生する電圧と前記第２無接点受電部に発生する電圧とのいずれもが所定のしきい値に満たない場合に、不適切な設置姿勢である旨の通知を外部に対して行うことを特徴とする請求項１〜請求項３のいずれかに記載の電子機器。
【請求項５】
搬送経路に沿って記録媒体を所定の送り量で送る電子機器の送り量補正方法であって、
外部の無接点給電装置による電力供給を受ける前記電子機器の第１面に配設された第１無接点受電部による受電の状況と、前記電子機器の前記第１面とは異なる第２面に配設された第２無接点受電部による受電の状況と、に基づいて前記電子機器の設置姿勢を判定し、
前記設置姿勢の判定結果に応じて前記送り量を補正する、ことを特徴とする送り量補正方法。
【発明の詳細な説明】
【技術分野】
【０００１】
本発明は、電子機器および送り量補正方法に関する。
【背景技術】
【０００２】
異なる複数の姿勢で設置可能な電子機器が存在する。
また、画像記録時の記録媒体の送り姿勢が上下向きの起立姿勢となる縦置き設置と、前記送り姿勢が横倒し姿勢となる横置き設置とが自在な記録装置であって、設置姿勢が前記縦置き設置であるか前記横置き設置であるかを検出する設置姿勢検出手段を備える構成が知られている（特許文献１参照）。
【先行技術文献】
【特許文献】
【０００３】
【特許文献１】特開２０１２‐１９２９９４号公報
【発明の概要】
【発明が解決しようとする課題】
【０００４】
各種センサー（光センサーやジャイロセンサー）を用いて機器の姿勢を検出することが可能である。しかし、機器製造にかかるコストに配慮すると、このようなセンサーを用いない別の方法が求められていた。
【０００５】
本発明は上述の課題に鑑みてなされたものであり、設置姿勢の判定を的確に実行する電子機器および送り量補正方法を提供する。
【課題を解決するための手段】
【０００６】
本発明の態様の１つは、外部の無接点給電装置による電力供給を受ける無接点受電部を備える電子機器であって、第１面に配設された第１無接点受電部と、前記第１面とは異なる第２面に配設された第２無接点受電部と、前記第１無接点受電部による受電の状況と前記第２無接点受電部による受電の状況とに基づいて当該機器の設置姿勢を判定する判定部と、を備える。
【０００７】
当該構成によれば、機器の異なる面に設けられた複数の無接点受電部による受電の状況に基づいて、当該機器の設置姿勢を的確に判定することができる。そのため、姿勢を検出するための各種センサーが不要になる。
【０００８】
本発明の態様の１つは、前記判定部は、前記第１無接点受電部と前記第２無接点受電部とのうち受電に成功している方の無接点受電部が配設されている面が前記無接点給電装置側に向いた設置姿勢であると判定してもよい。また、前記判定部は、前記第１無接点受電部と前記第２無接点受電部とのうち相対的に高い電圧が発生している方の無接点受電部が配設されている面が前記無接点給電装置側に向いた設置姿勢であると判定してもよい。
これら構成によれば、第１無接点受電部と第２無接点受電部それぞれの受電の状況を比較することで、第１面と第２面のうちどちらの面が無接点給電装置側に向いているか、つまりどのような設置姿勢であるかを判定することができる。
【０００９】
本発明の態様の１つは、前記判定部は、前記第１無接点受電部に発生する電圧と前記第２無接点受電部に発生する電圧とのいずれもが所定のしきい値に満たない場合に、不適切な設置姿勢である旨の通知を外部に対して行うとしてもよい。
当該構成によれば、無接点給電装置による電力供給を適切に受けられない設置姿勢である場合に、その旨をユーザーに知らせることができる。
【００１０】
本発明の態様の１つは、電子機器は、搬送経路に沿って記録媒体を所定の送り量で送る搬送部と、前記送られる記録媒体に記録を行う記録部と、前記設置姿勢の判定結果に応じて前記送り量を補正する送り量補正部と、を備えるとしてもよい。
当該構成によれば、電子機器の設置姿勢にかかわらず、適正量での記録媒体の送りが実行される。
【００１１】
本発明の技術的思想は、電子機器という物以外によっても実現される。例えば、前記判定部が実行する工程を含んだ方法（電子機器の設置姿勢を判定する姿勢判定方法）を発明として捉えることができる。また、このような方法をコンピューターに実行させるプログラムや、当該プログラムを記憶したコンピューター読み取り可能な記憶媒体も夫々に発明として成り立つ。さらに、上述の電子機器と無接点給電装置とを含んだシステムを発明として捉えることも可能である。
【図面の簡単な説明】
【００１２】
【図１】横置き姿勢の電子機器を示す図。
【図２】縦置き姿勢の電子機器を示す図。
【図３】電子機器が有する構成の一部を示すブロック図。
【発明を実施するための形態】
【００１３】
以下、各図を参照しながら本発明の実施形態を説明する。なお各図は、本実施形態を説明するための例示に過ぎない。
図１および図２はいずれも、本実施形態にかかる電子機器１０の外観を斜視図により簡易的に示している。電子機器１０の筐体は多面体であり、図１，２の例では略箱型の形状である。電子機器１０には、例えば、プリンター、スキャナー、ゲーム機、表示装置、モバイル端末…等の多種多様な製品が該当する。
【００１４】
電子機器１０は、少なくとも２種類の設置姿勢を採ることができる。図１の例は、電子機器１０を構成する複数の面のうちの第１面（面１１）を底面としたときの電子機器１０の設置姿勢を示している。図１に示す電子機器１０の設置姿勢を横置き姿勢（あるいは横置き設置）とも呼ぶ。一方、図２の例は、電子機器１０を構成する複数の面のうちの第２面（面１２）を底面としたときの電子機器１０の設置姿勢を示している。図２に示す電子機器１０の設置姿勢を縦置き姿勢（あるいは縦置き設置）とも呼ぶ。面１１は、面１２よりも面積が広い。また、縦置き姿勢時の電子機器１０の高さは、横置き姿勢時の電子機器１０の高さよりも高い。
【００１５】
電子機器１０は、外部の無接点給電装置２０の上に置かれる。図１，２では、無接点給電装置２０の上面２１を示している。ユーザーは、電子機器１０を無接点給電装置２０の上面２１に置く際に、縦置き姿勢、横置き姿勢のいずれかを任意に選んで置くことができる。電子機器１０の面１１，１２はいずれも、例えば、電子機器１０が有する不図示の操作部（ユーザーが操作するためのボタン、スイッチ、タッチパネル等）や接続用端子や、後述の表示部１９等が形成されていない面である。図１，２は、電子機器１０および無接点給電装置２０を含むシステムを例示しているとも言える。
【００１６】
上面２１に置かれた電子機器１０に対しては、無接点給電装置２０からいわゆる無接点給電（非接触給電、あるいはワイヤレス給電とも言う。）が実行される。電子機器１０は、無接点給電装置２０による電力供給を受ける無接点受電部を備える。無接点給電により、電子機器１０は電力を取得し動作することができる。無接点給電の規格は、例えば、送電側に埋め込まれたコイルに電流を流して磁束を生じさせて受電側のコイルに電流を生じさせる電磁誘導方式や、送電側と受電側それぞれの共振器を磁界共鳴させて電力を伝送する磁界共鳴方式や、送電側が発した電磁波を受電側で受信して直流電流に変換し電力として利用する電波受信方式等、種々考えられる。コイルをアンテナと呼んでもよい。
【００１７】
本実施形態では、無接点給電装置２０の内部には、上面２１近傍に不図示のコイルが埋め込まれている。無接点給電装置２０は当該コイルに電流を流して電磁誘導により電子機器１０側のコイルに電流（誘導電流）を発生させる。電子機器１０は、面１１に配設された第１無接点受電部としてのコイル１３と、面１２に配設された第２無接点受電部としてのコイル１４とを有する。図１，２では、コイル１３，１４を破線で例示している。コイル１３，１４の巻き数および断面積は基本的に同じである。コイル１３，１４は、電子機器１０の外観上は見えない。コイル１３は、面１１の内側に配設されている。コイル１３は、面１１に接していても接していなくてもよいが、電子機器１０を構成する複数の面のうち、コイル１３との距離が最も近い面が面１１である。同様に、コイル１４は、面１２の内側に配設されている。コイル１４は、面１２に接していても接していなくてもよいが、電子機器１０を構成する複数の面のうち、コイル１４との距離が最も近い面が面１２である。
【００１８】
図３は、電子機器１０が有する構成の一部をブロック図により簡易的に示している。電子機器１０には、コイル１３，１４と、コイル１３に接続された電源コントローラー１５と、コイル１４に接続された電源コントローラー１６と、電源コントローラー１５，１６と接続された制御部１７と、制御部１７によって制御される表示部１９等が含まれている。電源コントローラー１５は、コイル１３に発生した電流に基づく電力を、電子機器１０内の動作部１８へ供給する。同様に、電源コントローラー１６は、コイル１４に発生した電流に基づく電力を動作部１８へ供給する。動作部１８には、電子機器１０内に含まれる構成であって電力の供給を受けて駆動する全ての構成が該当する。例えば、電子機器１０がプリンターであれば、動作部１８には、液体を吐出する記録ヘッドや、キャリッジを移動させるためのモーター等が該当する。表示部１９も動作部１８の一例である。動作部１８の実例は多岐に渡るため、ここでは説明を省略する。
【００１９】
制御部１７は、例えば、ＣＰＵ、ＲＯＭ、ＲＡＭ等を有するＩＣや、その他の記憶媒体等を含んで構成される。制御部１７は、ＲＯＭ等に保存されたプログラムに従った演算処理をＲＡＭ等をワークエリアとして用いて実行することにより電子機器１０の挙動を制御する。制御部１７は、第１無接点受電部（コイル１３）による受電の状況と第２無接点受電部（コイル１４）による受電の状況とに基づいて電子機器１０の設置姿勢を判定する判定部としても機能する。このような制御部１７は、電子機器１０の第１面（面１１）に配設された第１無接点受電部（コイル１３）による受電の状況と、電子機器１０の第１面とは異なる第２面（面１２）に配設された第２無接点受電部（コイル１４）による受電の状況と、に基づいて電子機器１０の設置姿勢を判定する姿勢判定方法の実行主体であると言える。
【００２０】
判定部としての制御部１７は、電源コントローラー１５，１６を通じて得られる前記各受電状況に基づいて、電子機器１０が横置き姿勢であるか縦置き姿勢であるかを判定する。具体的には、制御部１７は、コイル１３とコイル１４とのうち受電に成功している方のコイルが配設されている面が無接点給電装置２０側に向いた設置姿勢であると判定する。仮に面１１が無接点給電装置２０（上面２１）と相対する位置関係である場合（図１参照）、前記電磁誘導によりコイル１３において誘導起電力（電圧）および誘導電流が生じる。電源コントローラー１５は、コイル１３に生じた電圧に応じたレベルの信号（第１電圧レベル信号）を制御部１７へ出力する。制御部１７は、例えば、第１電圧レベル信号が所定のしきい値以上のレベルであるときに、コイル１３が受電に成功しているコイルである、つまりコイル１３が配設されている面１１が無接点給電装置２０側に向いた設置姿勢（＝横置き姿勢）であると判定する。
【００２１】
一方、仮に面１２が無接点給電装置２０（上面２１）と相対する位置関係である場合（図２参照）、前記電磁誘導によりコイル１４において誘導起電力（電圧）および誘導電流が生じる。電源コントローラー１６は、コイル１４に生じた電圧に応じたレベルの信号（第２電圧レベル信号）を制御部１７へ出力する。制御部１７は、例えば、第２電圧レベル信号が前記所定のしきい値以上のレベルであるときに、コイル１４が受電に成功しているコイルである、つまりコイル１４が配設されている面１２が無接点給電装置２０側に向いた設置姿勢（＝縦置き姿勢）であると判定する。電源コントローラー１５，１６および制御部１７は、それらが１チップ化された構成であってもよい。また、これら電源コントローラー１５，１６および制御部１７をまとめて判定部と呼んでもよい。
【００２２】
制御部１７は、横置き姿勢と判定した場合には、横置き姿勢に対応した所定の制御を実行し、縦置き姿勢と判定した場合には、縦置き姿勢に対応した所定の制御を実行することができる。横置き姿勢、縦置き姿勢のそれぞれに対応した制御には、例えば、表示部１９における表示の向きを、横置き姿勢、縦置き姿勢のいずれかに対応した向きにすることが含まれる。
【００２３】
無接点給電装置２０側のコイルと、電子機器１０側のコイル１３，１４との位置関係によっては、コイル１３，１４の両方で受電に成功していると判定できる場合も有り得る。そこで、制御部１７は、コイル１３とコイル１４とのうち相対的に高い電圧が発生している方のコイルが配設されている面が無接点給電装置２０側に向いた設置姿勢であると判定してもよい。つまり制御部１７は、第１電圧レベル信号と第２電圧レベル信号とを比較する。そして、第１電圧レベル信号の方が高い場合には、コイル１３が配設されている面１１が無接点給電装置２０側に向いた設置姿勢（＝横置き姿勢）であると判定する。一方、第２電圧レベル信号の方が高い場合には、コイル１４が配設されている面１２が無接点給電装置２０側に向いた設置姿勢（＝縦置き姿勢）であると判定する。かかる構成によれば、第１電圧レベル信号と第２電圧レベル信号のいずれもが前記所定のしきい値以上のレベルであったとしても、電子機器１０の設置姿勢を正確に判定することができる。
【００２４】
ユーザーが誤って電子機器１０の面１１，１２以外の面を底面にして上面２１に電子機器１０を置くことが無いとは言い切れない。面１１，１２以外の面が底面となった姿勢では正常な無接点給電がなされず、電子機器１０は正常に動作できなくなる。そこで、制御部１７は、コイル１３に発生する電圧とコイル１４に発生する電圧とのいずれもが前記所定のしきい値に満たない場合に、不適切な設置姿勢である旨の通知（設置エラー通知）を外部に対して行うとしてもよい。制御部１７は、第１電圧レベル信号、第２電圧レベル信号のいずれもが前記所定のしきい値に満たない場合に、設置エラー通知を実行する。制御部１７は、例えば、表示部１９に設置エラー通知のメッセージを表示させたり、電子機器１０が備える不図示のスピーカーから音声出力により設置エラー通知を行なったりすることができる。
【００２５】
設置エラー通知により、電子機器１０の設置姿勢が不適切であることをユーザーに知らせることができる。なお、制御部１７は、コイル１３またはコイル１４によって受電した電力の一部を蓄電する充電池を有するとしてもよい。そして制御部１７は、コイル１３，１４のいずれもが受電できない状況であっても、当該充電池に蓄えられた電力により、自身や表示部１９や前記スピーカー等を一定期間以上稼働させる構成であるとしてもよい。
【００２６】
このように本実施形態では、電子機器１０は、当該機器の異なる面に設けられた複数の無接点受電部（コイル１３，１４）による受電の状況に基づいて、当該機器の設置姿勢を的確に判定することができる。そのため、姿勢を検出するために従来用いられてきた各種センサーが不要となり、製品のコストを下げることができる。
【００２７】
本発明は上述の実施形態に限られるものではなく、その要旨を逸脱しない範囲において種々の態様において実施することが可能である。例えば、以下のような変形例を採用可能である。
【００２８】
電子機器１０がインクジェット方式のプリンターであると想定した場合、電子機器１０は、搬送経路に沿って記録媒体を所定の送り量で送る搬送部（搬送ローラー等）と、前記送られる記録媒体に記録を行う記録部（インクジェットヘッド等）と、前記設置姿勢の判定結果に応じて前記送り量を補正する送り量補正部と、を備える。このようなプリンターの具体例としては、前記文献１に記載された記録装置が挙げられる。ただし本実施形態では、前記文献１の記録装置が有する構成のうち姿勢検出機構は不要となる。制御部１７は、例えば、前記文献１の図４に示された制御部の構成を有する。そして、制御部１７は、用紙位置取得部により取得した用紙の先端位置、用紙種別取得部により取得した用紙の種別、搬送制御テーブル（前記文献１の段落００４７参照）および、上述のように第１無接点受電部（コイル１３）による受電の状況と第２無接点受電部（コイル１４）による受電の状況とに基づいて判定した電子機器１０の設置姿勢に基づいて、目標送り量を加減算して搬送データを補正する。
【００２９】
このような変形例によれば、電子機器１０（プリンター）の設置姿勢に応じて、設計上の用紙の目標送り量（所定の送り量）を補正することにより、設置姿勢による実送り量（実際に送られる量）の差をほぼゼロとすることができる。そのため、印刷時の紙送りを正確に行うことができ、用紙に対し適切な印刷処理を行うことができる。また、装置姿勢で印刷結果が異なってしまうということがない。すなわち、横置き姿勢、縦置き姿勢に係わらず、印刷品質を良好に維持することができる。
【００３０】
電子機器１０は、面１１，１２以外の面にも面１１，１２と同様に無接点受電部（コイル）を有し、複数の面（３つ以上の面）の各無接点受電部における受電状況に基づいて、それら複数の面のいずれが無接点給電装置２０側を向いている姿勢であるかを判定することも可能である。
【符号の説明】
【００３１】
１０…電子機器、１１，１２…面、１３，１４…コイル、１５，１６…電源コントローラー、１７…制御部、１８…動作部、１９…表示部、２０…無接点給電装置、２１…上面
【図１】
0006686517.tif 000002
【図２】
0006686517.tif 000003
【図３】
0006686517.tif 000004